(57)【要約】【課題】複数のキャスタと、設置固定する筐体プラパート１３を備え、設置後、ユニット１０を引き出して保守を行う自動取引装置１において、無駄なキャスタを減らしてコスト低減を図る。【解決手段】キャスタの一部は自動取引装置１の筐体ベースに固着させた筐体キャスタ１１とし、他のキャスタは前記ユニットベースに固着したユニットキャスタ１２とし、移動するときは、前記ユニットキャスタ１２を固定ネジ１５により前記自動取引装置１の筐体ベース１６方向に前記ユニットベース１４とともに引き上げて自動取引装置１の筐体ベース１６に固定し、設置後、前記固定ネジ１５を外して前記ユニットベース１４とともに前記ユニットキャスタ１２を自由落下させるようにした。【選択図】図３
2011128783.tif 000002
【特許請求の範囲】
【請求項１】
複数のキャスタと、設置固定する筐体プラパートを備え、設置後、ユニットを引き出して保守を行う自動取引装置であって、
前記キャスタの一部は自動取引装置の筐体ベースに固着させた筐体キャスタとし、他のキャスタは前記ユニットベースに固着したユニットキャスタとし、
移動するときは、前記ユニットキャスタを固定ネジにより前記自動取引装置の筐体ベースに前記ユニットベースとともに引き上げて固定し、設置後、前記固定ネジを外して前記ユニットベースとともに前記ユニットキャスタを自由落下させるようにしたことを特徴とする自動取引装置。
【請求項２】
前記ユニットキャスタは、前記ユニットを所定の距離引き出したときに接地するようにしたことを特徴とする請求項１記載の自動取引装置。
【請求項３】
前記固定ネジを外して前記ユニットベースが前記ユニットキャスタとともに自由落下するときに当該ユニットキャスタの移動方向を前記ユニットを引き出す方向にロックさせるロック部材を設けたことを特徴とする請求項１または請求項２記載の自動取引装置。
【発明の詳細な説明】
【技術分野】
【０００１】
この発明は、金融機関等にて設置される現金自動預払機などの自動取引装置の移動構造およびユニット操作構造に関するものである。
【背景技術】
【０００２】
一般に、金融機関、流通機関等に設置される現金自動預払機などの自動取引装置では、紙幣の入出金を行う紙幣入出金部、硬貨の入出金を行う硬貨入出金部、カードのリード／ライトを行うカードリード／ライト部、通帳記帳等を行う通帳記帳部などのユニットを具備している。
【０００３】
そして、各ユニットの配置は上側にカードリード／ライト部、通帳記帳部のような比較的軽量ユニットが実装され、下側に紙幣入出金部、硬貨入出金部のような重量ユニットが実装されるのが一般的である。
【０００４】
そして、各ユニットはスライドレール等を使用して、保守時や媒体セット時に自動取引装置から引き出される構造となっており、ユニットを引き出すときにスライドレールが延びながらユニットの重量を支えるためにしなり、当該ユニットは垂れて微妙に床側に近づく。
【０００５】
特に、重量ユニットの場合では、同じ引き出し量でも垂れる量が大きくなる傾向があり、図７に示したように、スライドレール１７だけでは重量ユニット１０の荷重を支えきれないため、重量ユニット１０を支える重量ユニットキャスタ４２を具備するのが一般的である。
【０００６】
すなわち、同図破線部のように重量ユニット１０の下部に重量ユニットキャスタ４２を収納しておき、重量ユニット１０を引き出す際に、矢印Ｃのように倒してキャスタとして機能させてようになっている。或いは、重量ユニットキャスタ４２の先端部分のみを回動させる構造のものはあった（例えば、特許文献１参照。）
【０００７】
ところで、自動取引装置１０１の筐体には、装置移動用キャスタとしての筐体キャスタ１１と装置設置固定用プラパートとしての筐体プラパート１３が具備されていて、移動時は筐体キャスタ１１にて移動し、設置する際に筐体プラパート１３を降ろし、筐体プラパート１３にて固定するようになっている。
【先行技術文献】
【特許文献】
【０００８】
【特許文献１】特開２０００−２６１１５８号公報
【発明の概要】
【発明が解決しようとする課題】
【０００９】
しかしながら、上記従来の自動取引装置１０１では、一旦設置されてしまうと自動取引装置１０１の筐体が筐体プラパート１３によって固定されるため、筐体キャスタ１１は、床から離れてしまい、床に接触して重量を支えることもないため、ただ浮き上がった状態となっており、何の機能も果たさないものとなっていた。
【課題を解決するための手段】
【００１０】
本発明は、前述の課題を解決するため次の手段を採用する。すなわち、複数のキャスタと、設置固定する筐体プラパートを備え、設置後、ユニットを引き出して保守を行う自動取引装置であって、前記キャスタの一部は自動取引装置の筐体ベースに固着させた筐体キャスタとし、他のキャスタは前記ユニットベースに固着したユニットキャスタとし、移動するときは、前記ユニットキャスタを固定ネジにより前記自動取引装置の筐体ベースに前記ユニットベースとともに引き上げて固定し、設置後、前記固定ネジを外して前記ユニットベースとともに前記ユニットキャスタを自由落下させるようにした。
【発明の効果】
【００１１】
本発明の自動取引装置によれば、複数のキャスタと、設置固定する筐体プラパートを備え、設置後、ユニットを引き出して保守を行う自動取引装置であって、前記キャスタの一部は自動取引装置の筐体ベースに固着させた筐体キャスタとし、他のキャスタは前記ユニットベースに固着したユニットキャスタとし、移動するときは、前記ユニットキャスタを固定ネジにより前記自動取引装置の筐体ベースに前記ユニットベースとともに引き上げて固定し、設置後、前記固定ネジを外して前記ユニットベースとともに前記ユニットキャスタを自由落下させるようにしたので、無駄なキャスタを減らし、コスト低減を図ることができる。
【図面の簡単な説明】
【００１２】
【図１】実施例１の自動取引装置の概観斜視図である。
【図２】実施例１の自動取引装置の内部構成図である。
【図３】実施例１の自動取引装置の構成図である。
【図４】実施例１の自動取引装置の動作説明図である。
【図５】実施例１の自動取引装置の動作説明図である。
【図６】変形例の自動取引装置の動作説明図である。
【図７】従来の自動取引装置の構成図である。
【発明を実施するための形態】
【００１３】
以下、本発明に係わる実施の形態例を、図面を用いて説明する。図面に共通する要素には同一の符号を付す。
【実施例１】
【００１４】
（構成）
（自動取引装置の外観構成）
実施例１の自動取引装置１は、図１のような外観をしており、硬貨入出金口２、紙幣入出金口３、表示操作部４、通帳挿入口５、カード挿入口６を備えている。
【００１５】
そして、紙幣入出金口３は、紙幣が投入されるとともに、これらが排出される開口部である。紙幣入出金口３には、シャッタが設けられシャッタが駆動されることにより紙幣入出金口３が開閉される。
【００１６】
カード挿入口６は、カードを用いて取引を行う場合、当該カードがここから挿入され、取引が終了するとここから排出される。通帳挿入口５は、取引で使用される通帳がここから挿入され、取引が終了するとここから排出される。また、硬貨入出金口２は、硬貨が投入または排出される開口部である。
【００１７】
そして、紙幣入出金口３の奥部には、後述の紙幣の入出金処理を行う紙幣入出金部２６が設けられており、カード挿入口６の奥部には、後述のカードリード／ライト部２１が設けられている。
【００１８】
また、硬貨入出金口２の奥部には、後述の硬貨の入出金処理を行う硬貨入出金部２５が設けられており、通帳挿入出口５の奥部には、後述の通帳記帳部２３が設けられている。
【００１９】
表示操作部４は、ＬＣＤ等の表示装置の上に透明タッチパネルを積層して成し、顧客の操作により各種の入力を行なうとともに、操作ガイダンス等が表示される。
【００２０】
（自動取引装置の内部構成）
実施例１の自動取引装置の内部は、図２に示したように、後述する各部の制御を行う主制御部２０と、前述の表示操作部として機能する表示操作部４と、キャッシュカード等に記録された情報のリードライトを行うカードリードライト部２１と、音声やブザーによりガイダンスを出力する音声案内部２２と、通帳の磁気ストライプのリードライトおよび通帳への印字制御を行う通帳記帳部２３と、取引内容の明細票を印字して出力する明細票処理部２４と、図示しない硬貨入出金金庫や硬貨装填庫を備え硬貨の入出金制御を行う硬貨入出金部２５と、図示しない紙幣入出金金庫や紙幣装填庫を備え紙幣の入出金制御を行う紙幣入出金部２６と、からなる。
【００２１】
さらに、各部に電源を供給する電源部２７と、主制御部２０の記憶部として機能しプログラムや制御パラメータなどを記憶するメモリ部２８と、図示しないホストコンピュータとのインタフェイスを制御するインタフェイス部２９を有する。
【００２２】
（移動用キャスタ周辺の構成）
再び、外観構成に戻って、自動取引装置１の筐体には、図３に示したように、装置移動用キャスタとしての筐体キャスタ１１と、装置設置固定用プラパートとしての筐体プラパート１３が具備されていて、移動と固定の両方の機能を有している。
【００２３】
そして、紙幣入出金部２６、カードリード／ライト部２１、或いはさらに、硬貨入出金部２５、通帳記帳部２３は、保守や媒体セット時の作業を行うためにスライドレール１７を具備して自動取引装置外に引き出せるようになっている。
【００２４】
特に、紙幣入出金部２６などの重量ユニット１０では、引き出す際の耐荷重対策として重量ユニットキャスタ１２を備え、引き出した際に床と接触して荷重を支えられる構成となっている。
【００２５】
そして、筐体キャスタ１１は、溶着あるいはネジなどで筐体ベース１６に固定されている。重量ユニットキャスタ１２は、図４（ａ）の設置前の構成図としてその拡大図を示したように、重量ユニットベース１４に溶着あるいはネジなどで固定され、装置移動キャスタとしても機能するために固定ネジ１５によって筐体ベース１６に重量ユニットベース１４とともに固定できる構成となっている。
【００２６】
そして、固定ネジ１５によって固定する前の状態では、図４（ｂ）の設置後の構成図のように、重量ユニットベース１４が矢印Ａのように自由落下し筐体ベース１６と重量ユニットベース１４にはわずかな隙間Δαが発生するが、固定ネジ１５により固定すると、図４（ａ）の設置前の状態のように、隙間Δα＝０となる。
【００２７】
自動取引装置１を移動するときは、図３および図４（ａ）に示したような設置前の状態となっており、筐体キャスタ１１および重量ユニットキャスタ１２によって移動し、自動取引装置１を設置したときは、筐体プラパート１３を開放し筐体プラパート１３によって自動取引装置１を床面に固定し、筐体キャスタ１１及び重量ユニットキャスタ１２を床からわずかに浮かせ、自動取引装置１に掛る外力によってキャスタが機能し移動してしまわないようにして設置する。
【００２８】
そして、設置後、固定ネジ１５を外すと、筐体ベース１６と重量ユニットベース１４の固定が解除され、筐体ベース１６と重量ユニットベース１４は、図４（ｂ）のような自然落下の状態となり、隙間Δαが発生し、重量ユニットベース１４に固定された重量ユニットキャスタ１２が重量ユニット１０にのみ固定された状態となるように構成されている。
【００２９】
（動作）
以上の構成により実施例１の自動取引装置は、以下のように動作する。この動作を図４および図５の動作説明図を用いて以下詳細に説明する。
【００３０】
まず、図４（ａ）の状態にて固定ネジ１５により重量ユニットキャスタ１２と重量ユニットベース１４をともに自動取引装置の筐体ベース１６に固定して自動取引装置１を所望の設置場所まで移動する。
【００３１】
そして、筐体プラパート１３を開放して自動取引装置１を固定し設置した後、固定ネジ１５を外すと、重量ユニットベース１４および重量ユニットキャスタ１２は図４（ｂ）の状態となり、図５左側の破線で示した状態となる。
【００３２】
そして、保守時や媒体セットの際に、係員によりスライドレール１７を使用して重量ユニット１０が矢印Ｂのように自動取引装置１の外に引き出されると、図５右側に示したように、スライドレール１７は伸びながら重量ユニット１０の重量を支えるために垂れ、重量ユニット１０が自動取引装置１内にあったときに比べ、重量ユニットキャスタ１２は重量ユニットベース１４とともに床面に近づく。
【００３３】
すなわち、重量ユニットキャスタ１２は、重量ユニット１０が装置内にあるときは、隙間Δβを有して床から浮いた状態となっているが、重量ユニット１０を引き出すことによって隙間Δβは無くなり、接地点Ｘｃにて床と接触し、重量ユニット１０の荷重を支えられるようになる。
【００３４】
なお、接地点Ｘｃのように所定の長さ引き出したときに重量ユニットキャスタ１２が接地するのではなく、固定ネジ１５を外したときに接地するようにしてよい。
【００３５】
（実施例１の効果）
以上のように、実施例１の自動取引装置によれば、ユニットキャスタをユニットベースに固着し、自動取引装置を移動するときは、前記ユニットキャスタを固定ネジにより前記自動取引装置の筐体ベースに前記ユニットベースとともに引き上げて固定し、設置後、前記固定ネジを外して前記ユニットベースとともに前記ユニットキャスタを自由落下させるようにし、ユニットの耐荷重対策用キャスタと移動用キャスタを兼用とする構成としたので、無駄なキャスタを減らし、コスト低減を図ることができる。
【００３６】
《その他の変形例》
なお、以上の実施例の説明では、筐体キャスタ１１および重量ユニットキャスタ１２の移動方向ロック／フリーの設定については説明しなかったが、重量のある自動取引装置１を移動する場合、移動時の筐体キャスタ１１および重量ユニットキャスタ１２は移動方向をロックするのが一般的であるが、重量ユニットキャスタ１２を移動方向フリーな状態として移動させる場合もある。
【００３７】
後者の場合、設置後、重量ユニット１０を引き出すときに、重量ユニットキャスタ１２が移動方向フリーな状態となっているため、重量ユニットキャスタ１２が接地したときに、重量ユニット１０が引き出す方向以外に動いてスライドレール１７にトルクがかかり、破損してしまうおそれがある。このため、自動取引装置１の設置後、固定ネジ１５を外したときに重量ユニットキャスタ１２の移動方向を引き出す方向に固定させるようにしておくとよい。
【００３８】
例えば、図６に示したように、自動取引装置１を移動するときは、図中左側（ａ）に示したように、固定ネジ１５を締め、これにより重量ユニットベース１４と筐体ベース間１６の隙間Δαがなくなり、このときのネジ止めの力によりロック部材３０の上端部が支点３０ａを支点として矢印Ｄ方向に回動し下端部も同様に矢印Ｄ方向に回動し、重量ユニットキャスタ１２の移動方向のロックが外される。
【００３９】
一方、自動取引装置１の設置後に固定ネジ１５を外すと、図中右側（ｂ）に示したように、前記隙間Δαが発生しロック部材３０の付勢力により上端部が支点３０ａを支点として矢印Ｅ方向に回動し下端部も同様に矢印Ｅ方向に回動し、重量ユニットキャスタ１２の移動方向がロックされる。
【産業上の利用可能性】
【００４０】
以上述べたように、本発明は、金融機関等に設置され、ユニットを引き出して保守等を行う現金自動預払機などの自動取引装置をはじめ、コピー機などの事務用機器などにも広く利用することができる。
【符号の説明】
【００４１】
１、１０１    自動取引装置
１０  重量ユニット
１１  筐体キャスタ
１２、４２  重量ユニットキャスタ
１３  筐体プラパート
１４  重量ユニットベース
１５  固定ネジ
１６  筐体ベース
１７  スライドレール
２１  カードリーダ／ライタ部
２５  硬貨入出金部
２６  紙幣入出金部
３０  ロック部材
３０ａ  支点
Δα、Δβ  隙間
Ｘｃ  接地点
【図１】
2011128783.tif 000003
【図２】
2011128783.tif 000004
【図３】
2011128783.tif 000005
【図４】
2011128783.tif 000006
【図５】
2011128783.tif 000007
【図６】
2011128783.tif 000008
【図７】
2011128783.tif 000009